(57)【特許請求の範囲】
【請求項１】
本体ケースに主回路の接点開閉部，主回路を一次導体とする零相変流器を搭載した多極漏電遮断器であり、本体ケースの負荷側端子台に配列した各極の端子導体を零相変流器の環状コアに貫通させて本体ケース内部に引き回し配線したものにおいて、
主回路の中性線に対応するＮ相の端子導体を除き、Ｒ，Ｓ，Ｔ相の端子導体はそのコア貫通部位をＵ字状に屈曲形成した上で、零相変流器に環状コアの内周周縁に沿って嵌挿配置し、Ｎ相の端子導体は二枚の導体部品に分割し、かつその分割導体部品を環状コアの前後両側に分けて他のＲ，Ｓ，Ｔ相端子導体の配線経路と重なりあわないよう位置をずらして同じ面上に配置した上で、その接続端部を環状コアの内周中央位置で互いに前後から突き合わせて接続したことを特徴とする漏電遮断器。
【請求項２】
請求項１に記載の漏電遮断器において、Ｎ相端子導体の分割導体部品の接続端部を零相変流器の環状コア内周側でねじ締結して相互接続したことを特徴とする漏電遮断器。
【請求項３】
請求項１に記載の漏電遮断器において、Ｒ，Ｓ，Ｔ各相の端子導体を３極，４極仕様の共用部品として、４極仕様の遮断器ではＮ相導体の端子部を、Ｒ，Ｓ，Ｔ各相導体の端子部と並べて本体ケース端子台の左右いずれかの端部に配置したことを特徴とする漏電遮断器。
【請求項４】
請求項１に記載の漏電遮断器において、零相変流器の環状コアに対し、その前後からコアに嵌入して各相端子導体の間を隔離した位置に保持する絶縁バリア部材を備えたことを特徴とする漏電遮断器。
【請求項５】
請求項４に記載の漏電遮断器において、絶縁バリア部材を前後に分割した角状フレームで構成し、零相変流器に各相端子導体を組み付けた状態で前記角状フレームを環状コアの内周に前後から嵌入したことを特徴とする漏電遮断器。
【発明の詳細な説明】
【技術分野】
【０００１】
本発明は、低電圧配電系統に適用する漏電遮断器に関し、詳しくは遮断器に搭載した零相変流器に対する主回路導体（一次導体）の配線構造に係わる。
【背景技術】
【０００２】
頭記の漏電遮断器は、配線用遮断器と同様な過電流保護機能部品のほかに、主回路を一次導体として主回路の漏洩電流を検出する零相変流器を搭載しており、この零相変流器に対し、本体ケースの端子台に配列した各極の負荷側端子に連なる主回路導体を零相変流器の環状コアに貫通させて引き回し配線するようにしている。
【０００３】
また、漏電遮断器の機種として三相３線式回路に適用する３極仕様の漏電遮断器、および三相４線式回路に適用する４極仕様の漏電遮断器があり、４極の遮断器では中性線に対応するＮ相分が追加されるために、零相変流器の環状コアに通す主回路導体（一次導体）の数が３極の遮断器と比べて１本多くなる。
この場合に、３極の漏電遮断器，４極の漏電遮断器に対し、零相変流器の一次導体として環状コアに貫通する端子導体を共用化して部品コストの低減化，遮断器のコンパクト化を図るように、端子導体を２種類の展開寸法部品に標準化して構成した配線構造が知られている（例えば、特許文献１参照）。
【０００４】
次に、３極の漏電遮断器を例にその組立構造を図９に、また前記特許文献１に開示されている３極，および４極に対応する端子導体の配線構造を図１０，図１１に示す。
まず、図９において、１は遮断器の本体ケース（モールド樹脂ケースでカバーは省略している）、２Ｒ，２Ｓ，２Ｔは本体ケース１の負荷側端子台１ａに端子部を左右配列してケース内部に引き回し配線したＲ，Ｓ，Ｔ各相の端子導体、３は主回路接点の開閉機構部、４は電流遮断部の消弧装置、５は操作ハンドル、６は過電流引外し装置、７は零相変流器、８は漏電検出回路、９はトリップコイルユニットであり、図１０で示すように各相の端子導体２Ｒ，２Ｓ，２Ｔの端子部に連なる導体２Ｒ−１，２Ｓ−１，２Ｔ−１をＵ字状に屈曲成形した上で零相変流器７の環状コアを貫通させて本体ケース1の内部に引き回し配線し、各相の導体２Ｒ−１，２Ｓ−１，２Ｔ−１の後端には過電流引外し装置(バイメタルのヒータ)が接続されている。
【０００５】
ここで、端子導体２Ｒと２Ｓは同じ展開寸法で形状が逆向きなＵ字状の導体部品で、零相変流器1の環状コアを貫通する部位でＵ字状の導体２Ｒ−１と２Ｓ−１とが逆方向から向かい合うように嵌挿配置されている。また、端子導体２Ｔはその導体２Ｔ−１の長さを前記端子導体２Ｒと２Ｓよりも長く設定し、端子導体２Ｓと同じ方向から導体２Ｓ−１の内側に重なって並ぶように配置している。
【０００６】
一方、図１１に示す４極の漏電遮断器に適用する配線構造では、三相4線式回路の中性線に対応するＮ相の端子導体２Ｎが端子台１ａの右端側に追加されている。ここで、端子台１ａの両端に配した端子導体２Ｒ，２Ｎには図１０における端子導体２Ｔと同じ展開寸法で形状が逆向きになるＵ字状の導体部品を、また端子導体２Ｓ，２Ｔには図１０における端子導体２Ｒと２Ｓと同じ形状の導体部品を採用し、端子導体２Ｒ，２Ｎの導体２Ｒ−１，２Ｎ−１を端子導体２Ｓ，２Ｔの導体２Ｓ−１，２Ｔ−１の内側に重なるように並べて嵌挿配置している。
【特許文献１】特開平６−２１５６８２号公報（図１，図２）
【発明の開示】
【発明が解決しようとする課題】
【０００７】
ところで、先記した端子導体の配線構造では次記のような問題点がある。すなわち、図１０では零相変流器７の環状コア貫通部位で端子導体２Ｓの導体２Ｓ−１と端子導体２Ｔの導体２Ｔ−１とが導体厚み方向で内外に重なり合い、また図１１では端子導体２Ｒ／２Ｓおよび２Ｔ／２Ｎの導体同士が導体厚み方向で内外に重なりなっている。そのために、零相変流器７を含めて各相の端子導体が占める前後方向の寸法ｄが大きくなり、その分だけ本体ケース１に収納する他の部品（過電流引外し装置，開閉機構部，電流遮断部など）を収納するスペースの確保が制約されて遮断器の外形サイズが大きくなる。
【０００８】
本発明は上記の点に鑑みなされたものであり、その目的は零相変流器に嵌挿する負荷側の主回路端子導体（一次導体）について、３極と４極とで端子導体の部品共用化を図りつつ、零相変流器を含めた端子導体の組立体が占有する奥行き寸法を最小限に抑えてコンパクト化が図れるように改良した漏電遮断器を提供することを目的とする。
【課題を解決するための手段】
【０００９】
上記目的を達成するために、本発明によれば、本体ケースに主回路の接点開閉部，主回路を一次導体とする零相変流器を搭載した多極漏電遮断器で、本体ケースの負荷側端子台に配列した各極の端子導体を零相変流器の環状コアに貫通させて本体ケース内部に引き回し配線したものにおいて、
主回路の中性線に対応するＮ相の端子導体を除き、Ｒ，Ｓ，Ｔ相の端子導体はそのコア貫通部位をＵ字状に屈曲形成した上で、零相変流器に環状コアの内周周縁に沿って嵌挿配置し、Ｎ相の端子導体は二枚の導体部品に分割し、かつその分割導体部品を環状コアの前後両側に分けて他のＲ，Ｓ，Ｔ相端子導体の配線経路と重なりあわないよう位置をずらして同じ面上に配置した上で、その接続端部を環状コアの内周中央位置で互いに前後から突き合わせて接続するようにし（請求項１）、具体的にはその配線構造を次記のような態様で構成する。
（１）前記のＮ相端子導体について、その分割導体部品の接続端部同士を零相変流器の環状コア内周側でねじ締結して相互接続する（請求項２）。
（２）Ｒ，Ｓ，Ｔ各相の端子導体を３極および４極仕様の共用部品として、４極仕様の遮断器ではＮ相導体の端子部を、Ｒ，Ｓ，Ｔ各相導体の端子部と並べて本体ケース端子台の左右いずれかの端部に配置して構成する（請求項３）。
（３）零相変流器の環状コアに対し、その前後からコアに嵌入して各相端子導体の間を隔離した位置に保持する絶縁バリア部材を備え（請求項４）、その絶縁バリア部材を前後に二分割した角状フレームで構成し、零相変流器に各相端子導体を組み付けた状態で前記角状フレームを環状コアの内周に前後から嵌入して各相の導体を隔離保持させるようにする（請求項５）。
【発明の効果】
【００１０】
上記の構成によれば、３極漏電遮断器に適用して零相変流器の環状コアに嵌挿するＲ，Ｓ，Ｔ各相の端子導体を共用部品として、４極漏電遮断器に適用する場合には、Ｒ，Ｓ，Ｔ相の配線構造をそのまま採用し、これにＮ相の端子導体を追加するだけで簡単に対応できる。しかも、Ｎ相の端子導体は他相の端子導体と導体厚さ方向に重ならないよう配線経路をずらして各相の導体が同一面上に並ぶようにしているので、零相変流器を含む端子導体の配線構造が占める奥行き寸法を最小限に抑えて、同じ本体ケース内に搭載する他の機能部品の収納スペースを拡大できる。
【００１１】
また、Ｎ相の端子導体を二枚の導体部品に分割して環状コアの前後両側に配置した上で、その接続端部を零相変流器の環状コアの内周中央に突き合わせてねじ締結することにより、端子導体の組立作業性が向上し、さらに零相変流器の環状コアに対しその前後からコアの内周穴に嵌入して各相の端子導体間を隔離した位置に保持する絶縁バリア部材を備えたことで、各相の端子導体を接触のおそれなしに所定位置に安定保持されるとともに、各相導体端子の絶縁沿面距離を確保できる。
【発明を実施するための最良の形態】
【００１２】
以下、本発明の実施の形態を図１〜図８に示す実施例に基づいて説明する。なお、実施例の図中で図９〜図１１に対応する部材には同じ符号を付してその説明は省略する。
まず、４極漏電遮断器の零相変流器に適用する一次導体の配線構造を図１〜図６に示す。この実施例では図２に示す漏電遮断器の本体ケース１に対して、その負荷側の端子台１ａには左側から順にＮ相，Ｒ相，Ｓ相，Ｔ相に対応する端子導体２Ｎ，２Ｒ，２Ｓ，２Ｔを配列し、その端子部に連なる導体が零相変流器７の環状コアを貫通して本体ケース内部に引き回し配線されている。
【００１３】
ここで、Ｒ，Ｓ，Ｔ相に対応する端子導体２Ｒ，２Ｓ，２Ｔは３極漏電遮断器にも適用可能な共用部品であり、各端子導体は零相変流器７の環状コアを貫通する部位がＵ字状に屈曲形成されている。すなわち、Ｕ相の端子導体２Ｒ，およびＴ相の端子導体２Ｔはその導体２Ｒ−１，２Ｔ−１が端子部から零相変流器７に向けて横方向に延在し、その中間部位が互いに逆向きにＵ字状に屈曲形成されている。これに対して、Ｓ相の端子導体２Ｓはその導体２Ｓ−１か端子部から縦向きに延在してその中間部位がＵ字状に屈曲形成されており、図１（ｂ），図３に示す組立状態で、各相の導体２Ｒ−１，２Ｓ−１，２Ｔ−１が同一面上に並ぶようにしている。
【００１４】
一方、Ｎ相の端子導体２Ｎの導体は、端子部に連なる前部側の導体２Ｎ−１ａと、後部側の導体２Ｎ−１ｂに分割されており、その配線経路は図３で示すようにＲ，Ｓ，Ｔ各相の端子導体と前後に重なり合わないように端子導体２Ｒ，２Ｓの上側を迂回し、その組立状態で他相の端子導体と同一面上に並ぶよう形成されている（図１（ｂ）参照）。また、各分割導体２Ｎ−１ａ，２Ｎ−１ｂの先端には前後から零相変流器７のコア内周に嵌入して突き合わせるタブ状の接続端部２Ｎ−２が形成されており、この接続端部の板面には締結ねじ１０を通すねじ穴が開口している。
【００１５】
また、図示実施例では、前記の各端子導体部品とは別に、零相変流器７の環状コアに嵌挿した各相の端子導体を所定位置に隔離保持する絶縁バリア部材として、零相変流器７の前後から環状コアに嵌入する角状フレーム１１，１２が用意されている。
次に、前記した各部品を零相変流器７に組み付ける組立作業の手順を図１（ａ），図５，図６を参照して説明する。まず、図１（ａ）の分解状態から、端子導体２Ｒ，２ＴのＵ字状導体２Ｒ−１，２Ｔ−１を零相変流器７の環状コアに左右から嵌挿する。次に、Ｎ相端子導体２Ｎの後部側分割導体２Ｎ−１ｂを環状コアの背後側に重ね、その接続端部２Ｎ−２を環状コアの内周中央に嵌入する。続いて分割導体２Ｎ−１ｂの背後側から絶縁バリア部材の角状フレーム１２を環状コアの内周に嵌入し、分割導体２Ｎ−１ｂの接続端部２Ｎ−２を取り囲む。この組立段階の状態を図５に示す。
【００１６】
次に、零相変流器７の前方側から端子導体２Ｎの分割導体２Ｎ−１ａを環状コアに重ねてタブ状の接続端部２Ｎ−２をコア内周に嵌入し、この位置で接続端部２Ｎ−２同士を前後に突き合わせる。続いて、接続端部２Ｎ−２の突き合わせ部に前方から締結ねじ１０を螺合して前部側の分割導体２Ｎ−１ａと後部側の分割導体２Ｎ−１ｂを相互接続する。この組立段階の状態を図６に示す。
【００１７】
この組立段階から、次にＳ相の端子導体２ＳのＵ字状導体２Ｓ−１を環状コアの内周縁と前記接続端部２Ｎ−２との間に残っている隙間に嵌挿し、最後に前方から角状フレーム１１を環状コアの内周に嵌入して図３の組立状態が完成する。
次に、零相変流器７の環状コアに嵌挿した各相の端子導体，および絶縁バリア部材の配置を図４に示す。この図から判るように、環状コアの内周中央にＮ相端子導体の接続端部２Ｎ−２が位置し、この接続端部２Ｎ−２を囲むようにＲ，Ｓ，Ｔ各相の導体２Ｒ−１，２Ｓ−１，２Ｔ−１がコア内周に沿って左右，および下側に配列しており、各導体の相互間が接触しないように絶縁バリア部材によって隔離されている。
【００１８】
上記の組立構造では、図１（ｂ）で示すように零相変流器７に嵌挿してその前後面側に引き回した各相の端子導体同士が前後に重なり合わないで同一面上に並んでいる。これにより、図１１に示した配線構造と比べて、零相変流器を含む導体の奥行き寸法ｄを縮減できる。
なお、図示例ではＮ相の端子導体２Ｎを図２に示した本体ケース端子台１ａの左端側に配置しているが、これとは逆にＮ相の端子導体２Ｎを端子台１ａの右端に配置して負荷側端子をＲ，Ｓ，Ｔ，Ｎ相の順に配列することも可能である。この場合には端子導体２Ｎを図示例と対称な形状とする。
【００１９】
次に、前記したＲ，Ｓ，Ｔ相の端子導体２Ｒ，２Ｓ，２Ｔを共用部品として３極漏電遮断器に適用した零相変流器７の一次導体配線構造を図７，図８に示す。この組立構造でも端子導体組立体の奥行き寸法は図１（ｂ）に示した寸法ｄと同じである。
【図面の簡単な説明】
【００２０】
【図１】４極漏電遮断器に適用する本発明実施例の配線構造図で、（ａ）は各相の主回路端子導体を零相変流器に組み付ける以前の状態を表す分解斜視図、（ｂ）は組立状態の平面図
【図２】図１（ｂ）の組立体を本体ケースに搭載した４極漏電遮断器の構成斜視図
【図３】図１（ｂ）の斜視図
【図４】図３における零相変流器の環状コアに嵌挿した各相の端子導体および絶縁バリアの配置を表す断面図
【図５】図１（ａ）の状態から零相変流器の環状コアにＲ，Ｔ相の端子導体およびＮ相端子導体の後部側分割導体を組み付けた組立段階を表す斜視図
【図６】図５の組立段階Ｎ相端子導体の前部側分割導体を組み付けてねじ締結した組立段階を表す斜視図
【図７】図１におけるＲ，Ｓ，Ｔ相の端子導体を共用部品として３極漏電遮断器に適用した主回路端子導体の配線構造を表す斜視図
【図８】図７の平面図
【図９】３極漏電遮断器の組立構造を表す構成斜視図
【図１０】３極漏電遮断器の零相変流器に組み付けた主回路端子導体の従来における組立構造を表す平面図
【図１１】図１０の端子導体を共用部品として４極漏電遮断器に適用した主回路端子導体の組立構造を表す平面図
【符号の説明】
【００２１】
１    遮断器の本体ケース
２Ｒ，２Ｓ，２Ｔ  Ｒ，Ｓ，Ｔ相の端子導体
２Ｒ−１，２Ｓ−１，２Ｔ−１  Ｕ字状導体
２Ｎ  Ｎ相の端子導体
２Ｎ−１ａ，２Ｎ−１ｂ  分割導体
２Ｎ−２  接続端部
７    零相変流器
１０    締結ねじ
１１，１２  角状フレーム（絶縁バリア）
【図１】
0004736949.tif 000002
【図２】
0004736949.tif 000003
【図３】
0004736949.tif 000004
【図４】
0004736949.tif 000005
【図５】
0004736949.tif 000006
【図６】
0004736949.tif 000007
【図７】
0004736949.tif 000008
【図８】
0004736949.tif 000009
【図９】
0004736949.tif 000010
【図１０】
0004736949.tif 000011
【図１１】
0004736949.tif 000012